【事件の表示】
　特願２０１２−　５０６７６号「車両における情報表示システム」拒絶査定不服審判事件〔平成２５年　９月１９日出願公開、特開２０１３−１８４５４７号、請求項の数（２）〕について、次のとおり審決する。
【結　論】
　原査定を取り消す。
　本願の発明は、特許すべきものとする。
【理　由】
第１　手続の経緯
　本願は、平成２４年３月７日の出願であって、平成２７年６月３０日付けで拒絶理由が通知され、同年９月７日に意見書及び手続補正書が提出され、平成２８年３月２３日付けで最後の拒絶理由が通知され、同年５月２７日に意見書及び手続補正書が提出され、同年６月３０日付けで最後の拒絶理由が通知され、同年９月５日に意見書及び手続補正書が提出され、平成２９年２月２８日付けで補正の却下の決定がされるとともに拒絶査定（以下「原査定」という。）がされ、これに対し、同年６月７日に拒絶査定不服審判の請求がされると同時に手続補正書が提出され、平成３０年４月１６日付けで拒絶理由（以下「当審拒絶理由」という。）が通知され、同年４月２３日に手続補正書が提出されたものである。
第２　平成２９年２月２８日付けの補正の却下の決定及び原査定の概要
１　平成２９年２月２８日付けの補正の却下の決定の概要
　平成２８年９月５日付けの手続補正は、特許請求の範囲の限定的減縮を目的とするものであるが、当該補正後の本願請求項３−５に係る発明は、引用文献１−４に基いて、その出願前にその発明の属する技術の分野における通常の知識を有する者が容易に発明をすることができたものであり、特許出願の際独立して特許を受けることができるものでない。
　したがって、この補正は、特許法第１７条の２第６項において準用する同法第１２６条第７項の規定に違反するものであるから、同法第５３条第１項の規定により却下すべきものである。
引用文献等一覧
１．特開２０１１−３７３１０号公報
２．特開２００３−１４６２７７号公報
３．特開平９−１５６５６０号公報
４．特開２００８−２７５３７８号公報
２　原査定（平成２９年２月２８日付け拒絶査定）の概要
　この出願については、平成２８年６月３０日付け拒絶理由通知書（最後）に記載した以下の理由によって、拒絶をすべきものである。 
　この出願の請求項１に係る発明は、引用文献１、２及び４に記載された発明に基いて、また、この出願の請求項２−１１に係る発明は、引用文献１−４に記載された発明に基いて、その出願前にその発明の属する技術の分野における通常の知識を有する者が容易に発明をすることができたものであるから、特許法第２９条第２項の規定により特許を受けることができない。
　引用文献１−４は、上記１の引用文献と同じである。
第３　当審拒絶理由の概要 
　この出願は、特許請求の範囲の記載が特許法第３６条第６項第２号に適合するものではなく特許法第３６条第６項に規定する要件を満たしていない。
第４　本願発明
　本願の請求項１及び２に係る発明（以下「本願発明１及び２」という。）は、平成３０年４月２３日付けの手続補正書により補正された特許請求の範囲の請求項１及び２に記載された事項により特定される次のとおりのものである。
「【請求項１】
　車両（１）に搭載され、該車両（１）の車両情報を表示する情報表示装置（５）と、
　前記車両（１）に搭載された電装ユニットから出力される車両情報を取得する通信部と、該通信部で取得した車両情報を表示する表示部（２６）と、を有する携帯情報端末（２２）と、を備え、
　前記車両（１）に前記携帯情報端末（２２）を搭載し、
　前記携帯情報端末（２２）は、運転者側に向けられる前記表示部（２６）の背面に撮像部（２７）を有し、
　該携帯情報端末（２２）の前記表示部（２６）に車両情報を表示する車両における情報表示システムであって、
　前記情報表示装置（５）は、アナログ方式のメータ（１９）と前記アナログ方式のメータ（１９）に隣接し速度表示部（１４Ａ）を有するデジタル方式のメータ（１４Ａ）とを備え、
　前記アナログ方式のメータ（１９）に表示される車両情報の少なくとも一部が視認不能となり、前記速度表示部（１４Ａ）を有するデジタル方式のメータ（１４Ａ）に表示される車両情報の全体が視認可能となるように、前記携帯情報端末（２２）を、前記車両（１）側に固定された取付部材（２１，４０，５０）によって前記車両（１）に着脱可能に搭載し、
　前記携帯情報端末（２２）において、少なくとも前記視認不能となった前記情報表示装置（５）の車両情報を前記通信部により取得して、前記アナログ方式のメータ（１９）の表示形態を模した画像を前記表示部（２６）に表示させることを可能としたことを特徴とする車両における情報表示システム。
【請求項２】
　前記情報表示装置（５）が、前記車両（１）に弾性部材（３７）を介して支持され、
　前記情報表示装置（５）を挟むようにして配置された前記取付部材（２１）によって、前記携帯情報端末（２２）が、前記情報表示装置（５）と隙間を有して、該情報表示装置（５）を跨ぐように配置され、
　前記取付部材（２１）は、スクリーン（８）と共締めされて前記車両（１）に固定され、
　前記取付部材（２１）は、左右のボルト（９）によって基部をアッパーカウル（７）に固定され、運転者側に延出する左右一対のステー（２３）と、前記ステー（２３）の先端側に支持され、車軸方向に沿う水平軸中心に回動可能とされた保持ケース（２４）と、を備え、
　前記左右のステー（２３）は、前記アナログ方式のメータ（１９）を挟むように配置されることを特徴とする請求項１に記載の車両における情報表示システム。」
第５　当審の判断 
１　当審拒絶理由について
　当審は、補正前の請求項２について、「請求項２には「前記スクリーン（８）」と記載されているが、当該記載以前に「スクリーン（８）」は記載されておらず、「前記」によって示される構成が明確でない旨の拒絶の理由を通知したところ、平成３０年４月２３日の手続補正により、本願の請求項２は、上記「第４」のとおり補正された。
　そして、この補正により、上記拒絶の理由は解消した。
２　原査定について
２−１　引用文献の記載等
（１）　引用文献１の記載等
　引用文献１には、以下の記載等がある（下線は当審で付加した）。
（１ａ）
「【請求項１】
　車両のコンビネーションメータユニットの前面に着脱自在に設置可能とした携帯用カーナビゲーション装置であって、
　前記車両に設けられた車載ネットワークを構成する電気回路から各種車両状態情報を取り込む受信部と、
　地図情報と、前記地図情報に重畳され、ＧＰＳアンテナから取り込んだ前記車両の位置情報と、前記受信部から取り込んだ各種車両状態情報とを表示する表示画面を含む表示部と、
　を備える携帯用カーナビゲーション装置。
・・・
【請求項５】
　両面テープにより車両のインストルメントパネルのメータクラスタの前面下部に粘着固定され、携帯用カーナビゲーション装置本体の下辺部が着脱自在に嵌合される嵌合部を有するベースプレートと、
　両面テープにより車両の前記インストルメントパネルのメータクラスタの上部に粘着固定され、前記携帯用カーナビゲーション装置本体の上辺部が着脱自在に嵌合されるラッチ部を有するラッチプレートと、
　を備える携帯用カーナビゲーション装置の取付具。
・・・」
（１ｂ）
【０００１】
　本発明は、
ナビゲーション情報等の車両の運転を支援する表示装置
車両の速度やエンジンの回転数等、車両の運転に関する車両状態情報
（１ｃ）
「【００１９】
　＜本例のポータブルカーナビの配置位置＞
　図１（Ａ）は、ポータブルカーナビ１０をインストルメントパネル２０の中央上部（ダッシュボード上）に置いた従来の例であり、
図１（Ｂ）は、ポータブルカーナビ１０を、インストルメントパネル２０の一部を構成するメータクラスタ３０の前に取り付けたオールインワン型の本例の携帯用カーナビゲーション装置である。
【００２０】
　図１（Ｂ）に示す本例のポータブルカーナビ１０は、メータクラスタ３０の前に取り付けられるので、図１（Ａ）と比べて、運転者に対して車外の視界を遮るものがなく、その視認性が向上する。
しかし、図１（Ｂ）のように、メータクラスタ３０の前にポータブルカーナビ１０を配置すると、必然的に、ポータブルカーナビ１０が、メータクラスタ３０に嵌め込まれて配置されるコンビネーションメータユニット８０（図６で後述）に表示される各種の車両状態情報が運転者から見えなくなる。
【００２１】
　
そこで、図１（Ｂ）に示すように、ポータブルカーナビ１０をメータクラスタ３０の表示画面を遮って配置する場合には、ポータブルカーナ１０（審決注：「ポータブルカーナビ１０」の誤記と認める。）内に必要な車両状態情報を全て表示することが必要とされる。
【００２２】
　＜本例のポータブルカーナビと車載ネットワークとの関係＞
　
図２は、本例のポータブルカーナビ１０を車載ネットワークのＣＡＮ（Ｃｏｎｔｒｏｌｌｅｒ Ａｒｅａ Ｎｅｔｗｏｒｋ） バス４０に接続して、各種センサからの車両状態情報を本例のポータブルカーナビ１０に取り込むようにした車載ネットワークの例を示したものである。図２に示す車載ネットワークは、ＣＡＮバス４０にさまざまなコンピュータシステムであるＥＣＵ（Ｅｌｅｃｔｒｉｃ Ｃｏｎｔｒｏｌ Ｕｎｉｔ）が接続されている。
　なお、ＣＡＮバス４０は、車載ネットワークに標準的に使用されている通信規格である（ＩＳＯ１１８９８及びＩＳＯ１１５１９）。このＣＡＮバス４０は、図示するようにＣＡＮ＿ＨとＣＡＮ＿Ｌの２本の差動信号線で構成されている。
・・・
【００２７】
　以上はＣＡＮバス４０から見た通常の車両が備える車載ネットワークであるが、本発明では、この車載ネットワークに、更にポータブルカーナビ１０が接続されている。すなわち、
ポータブルカーナビ１０は、車両診断用コネクタ２６を介してＣＡＮバス４０に接続され、車速データ等の様々な車両状態情報を取り込むことができるようになっている。
（１ｄ）
「【００２９】
　また、
ポータブルカーナビ１０は、例えば機器前面上部に内蔵カメラ開口部３２を備えており、
（１ｅ）
「【００４３】
　図６は、ポータブルカーナビ１０を車両に取り付けた状態を、側面から見た横断面図であり、図７は、
ポータブルカーナビ１０をメータユニット８０のメータレンズ８２の上（メータクラスタ３０の前）に取り付ける方法
市販される車両に取り付けられているメータクラスタ３０は、インストルメントパネル２０の運転席前方にメータシェード８３で覆われるように配置されている。そして、このメータクラスタ３０の奥部には、速度計８１を含むコンビネーションメータユニット８０が組み込まれている。
　ここで、コンビネーションメータユニット８０の前面は、メータレンズ８２で運転席と仕切られており、その表示画面には、車両内の各種センサやスイッチからの車両状態情報が表示されるようになっている。この意味で、コンビネーションメータユニット８０は、表示される計器類全体を表すものと言える。
【００４４】
　このコンビネーションメータユニット８０の前面にはメータレンズ８２が配置され、車速やその他の車両状態情報が拡大表示されるようになっている。・・・」
（１ｆ）
「【００４６】
　次に、ポータブルカーナビ１０を車両に取り付けるための取付具について、図７を参照して説明する。ポータブルカーナビ１０の取付具は、ポータブルカーナビ１０の滑り止め用として設けられる粘着テープ８４ａ、８４ｂと、
ポータブルカーナビ１０が嵌合されるベースプレート８５及びラッチプレート８６とを備えている。
・・・
【００４８】
　ベースプレート８５は、略長方形の板体からなるプレート本体８５ａと、このプレート本体８５ａの表面から突出する篏合部８５ｂ，８５ｃからなっている。
プレート本体８５ａは、裏面に貼り付けられた両面テープ８７ａによってメータレンズ８２の前方に延在しているメータクラスタ３０の下部８３ｂ（インストルメントパネル２０の一部を構成し、上部のメータシェード８３ａと対峙する部分）に粘着固定される（図６参照）。篏合部８５ｂ、８５ｃは、プレート本体８５ａの長手方向の両端部に設けられている。この篏合部８５ｂ、８５ｃには、ポータブルカーナビ１０の下辺部の両端が着脱可能に嵌合される。
【００４９】
　ラッチプレート８６は、略長方形の板体からなるプレート本体８６ａと、このプレート本体８６ａの表面から突出するラッチ部８６ｂ、８６ｃからなっている。
プレート本体８６ａは、裏面に貼り付けられた両面テープ８７ｂによってメータレンズ８２の上部に粘着固定される
【００５０】
　また、ラッチプレート８６のラッチ部８６ｂ、８６ｃは、プレート本体８６ａの長手方向の両端部に設けられている。
そして、このラッチ部８６ｂ、８６ｃには、ポータブルカーナビ１０の上辺部の両端が着脱可能に嵌合される。つまり、ベースプレート８５とラッチプレート８６は、篏合部８５ｂ、８５ｃとラッチ部８６ｂ、８６ｃでポータブルカーナビ１０を挟持するようになっている。
（１ｇ）引用文献１には以下の図が示されている。
【図６】　
　
　また、上記記載事項及び図示内容によれば、以下の事項が認められる。
（１ｈ）
　段落【００４３】の「速度計８１を含むコンビネーションメータユニット８０」（摘示（１ｅ））という記載及び図６（摘示（１ｇ））の、特に、速度計８１の部分の図示内容によれば、「速度計８１」がアナログ方式であることが看て取れる。
　以上の（１ａ）〜（１ｈ）を総合すると、引用文献１には、次の発明（以下「引用発明」という。）が記載されていると認める。
「車両のメータクラスタ３０の奥部に組み込まれたアナログ方式の速度計８１を含むコンビネーションメータユニット８０と、
　その前面に着脱自在に設置可能としたポータブルカーナビ１０であって、
　前記車両に設けられたＥＣＵ（Ｅｌｅｃｔｒｉｃ Ｃｏｎｔｒｏｌ Ｕｎｉｔ）が接続されているＣＡＮ（Ｃｏｎｔｒｏｌｌｅｒ Ａｒｅａ Ｎｅｔｗｏｒｋ） バス４０から各種車両状態情報を取り込む受信部と、
　地図情報と、前記地図情報に重畳され、ＧＰＳアンテナから取り込んだ前記車両の位置情報と、前記受信部から取り込んだ各種車両状態情報とを表示する表示画面を含む表示部と、
　機器前面上部に備えられた内蔵カメラ開口部３２と、
　を備えるポータブルカーナビ１０と、
　両面テープ８７ａにより車両のインストルメントパネル２０のメータクラスタ３０の前面下部に粘着固定され、ポータブルカーナビ１０本体の下辺部が着脱自在に嵌合される嵌合部を有するベースプレート８５と、
　両面テープ８７ｂにより車両の前記インストルメントパネル２０のメータクラスタ３０の上部に粘着固定され、前記ポータブルカーナビ１０本体の上辺部が着脱自在に嵌合されるラッチ部８６ｂ、８６ｃを有するラッチプレート８６と、
　を備えるポータブルカーナビ１０の取付具と、
を備える車両の運転を支援する表示装置」
（２）　引用文献２の記載
　引用文献２には、以下の記載がある。
（２ａ）
「【０００１】
【発明の属する技術分野】本発明は，
自動二輪車のモニタホルダ取り付け構造に関する。
・・・
【００１７】先ず，図１及び図２において，自動二輪車Ｍの操向ハンドル１の直前に配設されるインストルメントパネル２は，自動二輪車Ｍの車体前部を覆うフェアリング３に一体に形成される。このインストルメントパネル２には，その前縁から起立するバイザ４が形成されると共に，このバイザ４の内側に
スピードメータ，タコメータ等のメータ類５が設置され，
ナビゲータ用モニタ８が配設される。
（２ｂ）
　引用文献２には以下の図面が記載されている。
【図２】
（３）　引用文献３の記載
　引用文献３には、以下の記載がある。
（３ａ）
【００１６】まず始めに、
二輪車用電装品取り付け装置
【００１７】そして、図２に図示するように、
電装品取り付け装置Ｄには、画像表示部を具備する電装品であるナビゲーション６が取り付けられる。
（４）　引用文献４の記載
　引用文献４には、以下の記載がある。
（４ａ）
「【００１０】
  以下、
オートバイ用の表示装置
【００１１】
  
表示内機２は、例えばエンジン回転計からなる指針式（アナログ式）計器２１と、例えば液晶パネルからなり走行速度と走行距離をデジタル表示する電子式表示器２２
（４ｂ）
　引用文献４には、以下の図面が記載されている。
【図１】
２−２　対比・判断
２−２−１　本願発明１について
（１）　対比
　本願発明１と引用発明とを対比する。
ア　本願発明１の「車両情報」に関し、本願明細書には、
「【００３７】
・・・
　この携帯情報端末２２は、自動二輪車１に搭載された電装ユニットから出力される速度、エンジン回転数、ギヤポジション等の車両情報を取得する通信部と、該通信部で取得した車両情報を表示する表示部２６と、を有している。」
と記載されており、本願発明１の「車両情報」は速度を含むものである。
　そして、引用発明の「車両状態情報」に関し、引用文献１には、「車両の速度やエンジンの回転数等、車両の運転に関する車両状態情報」（摘示（１ｂ））と記載され、引用発明の「車両状態情報」は速度を含むものであることから、本願発明１の「車両情報」に相当する。　
　そうすると、引用発明の「車両のメータクラスタ３０の奥部に組み込まれたアナログ方式の速度計８１を含むコンビネーションメータユニット８０」は、速度を表示することは明らかであるから、本願発明１の「車両（１）に搭載され、該車両（１）の車両情報を表示する情報表示装置（５）」に相当する。
イ　本願発明１の「電装ユニット」に関し、本願明細書には、
「【００３７】
　携帯情報端末２２は、所謂スマートフォンであり、通話機能付き携帯情報端末である。この携帯情報端末２２は、自動二輪車１に搭載された電装ユニットから出力される速度、エンジン回転数、ギヤポジション等の車両情報を取得する通信部と、該通信部で取得した車両情報を表示する表示部２６と、を有している。」
と記載されており、「電装ユニット」は「速度、エンジン回転数、ギヤポジション等の車両情報」を出力するものである。
　引用文献１には、「図２は、本例のポータブルカーナビ１０を車載ネットワークのＣＡＮ（Ｃｏｎｔｒｏｌｌｅｒ　Ａｒｅａ　Ｎｅｔｗｏｒｋ） バス４０に接続して、各種センサからの車両状態情報を本例のポータブルカーナビ１０に取り込むようにした車載ネットワークの例を示したものである。図２に示す車載ネットワークは、ＣＡＮバス４０にさまざまなコンピュータシステムであるＥＣＵ（Ｅｌｅｃｔｒｉｃ Ｃｏｎｔｒｏｌ Ｕｎｉｔ）が接続されている。」（摘示(１ｃ）【００２２】)及び「ポータブルカーナビ１０は、車両診断用コネクタ２６を介してＣＡＮバス４０に接続され、車速データ等の様々な車両状態情報を取り込むことができるようになっている。」（摘示（１ｃ）【００２７】）と記載されており、引用発明の「ＥＣＵ（Ｅｌｅｃｔｒｉｃ Ｃｏｎｔｒｏｌ Ｕｎｉｔ）が接続されているＣＡＮ（Ｃｏｎｔｒｏｌｌｅｒ Ａｒｅａ Ｎｅｔｗｏｒｋ） バス４０」は、「車速データ等の様々な車両情報」を出力するものであり、本願発明の「電装ユニット」に相当する。
　そして、引用発明の「ＥＣＵ（Ｅｌｅｃｔｒｉｃ Ｃｏｎｔｒｏｌ Ｕｎｉｔ）が接続されているＣＡＮ（Ｃｏｎｔｒｏｌｌｅｒ Ａｒｅａ Ｎｅｔｗｏｒｋ）バス４０」は「車両に設けられた」ものであることから、引用発明の「前記車両に設けられたＥＣＵ（Ｅｌｅｃｔｒｉｃ Ｃｏｎｔｒｏｌ Ｕｎｉｔ）が接続されているＣＡＮ（Ｃｏｎｔｒｏｌｌｅｒ Ａｒｅａ Ｎｅｔｗｏｒｋ） バス４０」は、本願発明１の「車両（１）に搭載された電装ユニット」に相当する。
ウ　本願発明１の「通信部」は「車両に搭載された電装ユニットから出力される」「車両情報を取得する」ものである。
　そして、引用発明の「受信部」は、「前記車両に設けられたＥＣＵ（Ｅｌｅｃｔｒｉｃ Ｃｏｎｔｒｏｌ Ｕｎｉｔ）が接続されているＣＡＮ（Ｃｏｎｔｒｏｌｌｅｒ Ａｒｅａ Ｎｅｔｗｏｒｋ） バス４０から各種車両状態情報を取り込む」ものであり、上記イで検討したとおり、「前記車両に設けられたＥＣＵ（Ｅｌｅｃｔｒｉｃ Ｃｏｎｔｒｏｌ Ｕｎｉｔ）が接続されているＣＡＮ（Ｃｏｎｔｒｏｌｌｅｒ Ａｒｅａ Ｎｅｔｗｏｒｋ） バス４０」は、本願発明１の「車両に搭載された電装ユニット」に相当し、上記アで検討したとおり、引用発明の「車両状態情報」は、本願発明１の「車両情報」に相当することから、引用発明の「受信部」は、「車両に搭載された電装ユニットから出力される」「車両情報を取得する」ものである。
　そうすると、引用発明のかかる「受信部」は本願発明の「電装ユニットから出力される車両情報を取得する通信部」に相当する。
エ　本願発明１の「表示部（２６）」は、「該通信部で取得した車両情報を表示する」ものである。
　そして、引用発明の「表示部」は、「地図情報と、前記地図情報に重畳され、ＧＰＳアンテナから取り込んだ前記車両の位置情報と、前記受信部から取り込んだ各種車両状態情報とを表示する表示画面を含む」ものであり、上記アで検討したとおり、引用発明の「車両状態情報」が、本願発明１の「車両情報」に相当することから、引用発明の「表示部」は、本願発明１の「該通信部で取得した車両情報を表示する表示部（２６）」に相当する。
オ　引用発明の「ポータブルカーナビ１０」は、「受信部」と「表示部」を「備える」ものであり、また、携帯され得るものと理解することができるから（摘示（１ｃ）【００１９】）、上記ウ及びエの検討をも踏まえると、かかる「ポータブルカーナビ１０」は、本願発明１の「前記車両（１）に搭載された電装ユニットから出力される車両情報を取得する通信部と、該通信部で取得した車両情報を表示する表示部（２６）と、を有する携帯情報端末（２２）」に相当する。
カ　本願発明１の「携帯情報端末」は、「車両」に「搭載」されるものである。
　そして、引用発明の「ポータブルカーナビ１０」は、「車両のメータクラスタ３０の奥部に組み込まれたアナログ方式の速度計８１を含むコンビネーションメータユニット８０」の「前面に着脱自在に設置可能」であり、車両に搭載されることは明らかであるから、かかる「ポータブルカーナビ１０」の設置構成は、本願発明１の「前記車両（１）に前記携帯情報端末（２２）を搭載し」という構成に相当する。
キ　本願発明の「携帯情報端末（２２）」は、「運転者側に向けられる前記表示部（２６）の背面に撮像部（２７）」を有するものである。
　そして、引用発明の「ポータブルカーナビ１０」は「機器前面上部に」「内蔵カメラ開口部３２」を「備え」ているから、引用発明「ポータブルカーナビ１０」が、「撮像部」を有することは明らかである。
　そうすると、かかる「ポータブルカーナビ１０」の構成は、本願発明１の
「前記携帯情報端末（２２）は、運転者側に向けられる前記表示部（２６）の背面に撮像手段を有し」という構成と、「前記携帯情報端末（２２）は、撮像部（２７）を有し」という構成の限度で共通する。
ク　本願発明１の「情報表示装置」は、「アナログ方式のメータ（１９）と前記アナログ方式のメータ（１９）に隣接し速度表示部（１４Ａ）を有するデジタル方式のメータ（１４Ａ）とを備え」ている。
　そして、引用発明の「コンビネーションメータユニット８０」は、「車両のメータクラスタ３０の奥部に組み込まれたアナログ方式の速度計８１を含む」ものであることから、かかる「コンビネーションメータユニット８０」の構成と、本願発明１の「情報表示装置（５）」における「アナログ方式のメータ（１９）と前記アナログ方式のメータ（１９）に隣接し速度表示部（１４Ａ）を有するデジタル方式のメータ（１４Ａ）とを備え」という構成とは、「情報表示装置は、アナログ式のメータを備え」るという構成の限度で共通する。
ケ　本願発明１の「取付部材」は、「前記アナログ方式のメータ（１９）に表示される車両情報の少なくとも一部が視認不能となり、前記速度表示部（１４Ａ）を有するデジタル方式のメータ（１４Ａ）に表示される車両情報の全体が視認可能となるように、前記携帯情報端末（２２）を、」「前記車両（１）に着脱可能に搭載」するものであり、「前記車両（１）側に固定され」ているものである。
　引用発明の「取付具」は、「両面テープにより車両のインストルメントパネル２０のメータクラスタの前面下部に粘着固定され、ポータブルカーナビ１０本体の下辺部が着脱自在に嵌合される嵌合部を有するベースプレート８５と、
　両面テープ８７ａ及び８７ｂにより車両の前記インストルメントパネル２０のメータクラスタ３０の上部に粘着固定され、前記ポータブルカーナビ１０本体の上辺部が着脱自在に嵌合されるラッチ部８６ｂ、８６ｃを有するラッチプレート８６と、
　を備え」ており、車両側に固定されていることは明らかである。そして、引用文献１には、「ポータブルカーナビ１０が、メータクラスタ３０に嵌め込まれて配置されるコンビネーションメータユニット８０（図６で後述）に表示される各種の車両状態情報が運転者から見えなくなる」（摘示（１ｃ）【００２０】）と記載されていることから、引用発明の「ポータブルカーナビ１０」の設置によって、「コンビネーションメータユニット８０」に表示される「車両状態情報」の少なくとも一部が視認不能となっていることは明らかである。
　そうすると、引用発明のかかる「取付具」による「ポータブルカーナビ１０」の設置構成と、本願発明１の「前記アナログ方式のメータ（１９）に表示される車両情報の少なくとも一部が視認不能となり、前記速度表示部（１４Ａ）を有するデジタル方式のメータ（１４Ａ）に表示される車両情報の全体が視認可能となるように、前記携帯情報端末（２２）を、前記車両（１）側に固定された取付部材（２１，４０，５０）によって前記車両（１）に着脱可能に搭載し」という構成とは、「車両情報の少なくとも一部が視認不能となるように、前記携帯情報端末（２２）を、前記車両（１）側に固定された取付部材（２１，４０，５０）によって前記車両（１）に着脱可能に搭載し」という構成の限度で共通する。
コ　本願発明１の「携帯情報端末（２２）」は、「少なくとも前記視認不能となった前記情報表示装置（５）の車両情報を前記通信部により取得して、前記アナログ方式のメータ（１９）の表示形態を模した画像を前記表示部（２６）に表示させる」ものである。
　そして、上記ケで検討したとおり、引用発明の「ポータブルカーナビ１０」の設置によって、「コンビネーションメータユニット８０」に表示される「車両状態情報」の少なくとも一部が視認不能となっていることは明らかであり、引用文献１の「ポータブルカーナビ１０をメータクラスタ３０の表示画面を遮って配置する場合には、ポータブルカーナビ１０内に必要な車両状態情報を全て表示することが必要」（摘示（１ｃ）【００２１】）との記載も考慮すると、視認不能となった「車両状態情報」を「ポータブルカーナビ１０」の「表示部」に表示させていることは明らかである。
　そうすると、上記アで検討したとおり、引用発明の「車両状態情報」が本願発明１の「車両情報」に相当すること及び上記ウの検討を踏まえると、引用発明のかかる「ポータブルカーナビ１０」の構成と本願発明１の「携帯情報端末（２２）において、少なくとも前記視認不能となった前記情報表示装置（５）の車両情報を前記通信部により取得して、前記アナログ方式のメータ（１９）の表示形態を模した画像を前記表示部（２６）に表示させることを可能とした」という構成とは、「携帯情報端末（２２）において、少なくとも前記視認不能となった前記情報表示装置（５）の車両情報を前記通信部により取得して、前記表示部（２６）に表示させることを可能とした」という構成の限度で共通する。
サ　本願発明１の「車両における情報表示システム」は、「車両（１）に搭載され、該車両（１）の車両情報を表示する情報表示装置（５）と、」「前記車両（１）に搭載された電装ユニットから出力される車両情報を取得する通信部と、該通信部で取得した車両情報を表示する表示部（２６）と、を有する携帯情報端末（２２）と、を備え、」「該携帯情報端末（２２）の前記表示部（２６）に車両情報を表示する」ものである。
　引用発明の「車両の運転を支援する表示装置」は、「車両のメータクラスタ３０の奥部に組み込まれたアナログ方式の速度計８１を含むコンビネーションメータユニット８０」と「ポータブルカーナビ１０と」を「備える」ものである。
　そして、引用発明の「車両のメータクラスタ３０の奥部に組み込まれたアナログ方式の速度計８１を含むコンビネーションメータユニット８０」が、本願発明１の「車両（１）に搭載され、該車両（１）の車両情報を表示する情報表示装置（５）」に相当し（上記ア）、「ポータブルカーナビ１０」が、本願発明１の「前記車両（１）に搭載された電装ユニットから出力される車両情報を取得する通信部と、該通信部で取得した車両情報を表示する表示部（２６）と、を有する携帯情報端末（２２）」に相当（上記オ）するとともに、引用発明の「車両の運転を支援する表示装置」は、上記コで検討したとおり、「携帯情報端末（ポータブルカーナビ１０）」の「表示部（表示部）」に「車両情報（車両状態情報）」を表示するものであることから、引用発明の「車両の運転を支援する表示装置」は、本願発明１の「該携帯情報端末（２２）の前記表示部（２６）に車両情報を表示する車両における情報表示システム」及び「車両における情報表示システム」に相当する。
　上記ア−サの検討を総合すると、本願発明１と引用発明との一致点及び相違点は、以下のとおりである。
＜一致点＞
　「車両に搭載され、該車両の車両情報を表示する情報表示装置と、
　前記車両に搭載された電装ユニットから出力される車両情報を取得する通信部と、該通信部で取得した車両情報を表示する表示部と、を有する携帯情報端末と、を備え、
　前記車両に前記携帯情報端末を搭載し、
　前記携帯情報端末は、撮像部を有し、
　該携帯情報端末の前記表示部に車両情報を表示する車両における情報表示システムであって、
　前記情報表示装置は、アナログ方式のメータを備え、
　車両情報の少なくとも一部が視認不能となるように、前記携帯情報端末を、前記車両側に固定された取付部材によって前記車両に着脱可能に搭載し、
　前記携帯情報端末において、少なくとも前記視認不能となった前記情報表示装置の車両情報を前記通信部により取得して、前記表示部に表示させることを可能とした車両における情報表示システム。」
＜相違点１＞
　本願発明１の「情報表示装置」が、「前記アナログ方式のメータに隣接し速度表示部を有するデジタル方式のメータ」を備え、「携帯情報端末」が、「前記アナログ方式のメータに表示される車両情報の少なくとも一部が視認不能となり、前記速度表示部を有するデジタル方式のメータに表示される車両情報の全体が視認可能」となるように搭載されているのに対し、引用発明は、そのような特定がされていない点。
＜相違点２＞
　本願発明１の「携帯情報端末」は、「運転者側に向けられる前記表示部の背面に撮像部」を有するのに対し、引用発明の「携帯情報端末（ポータブルカーナビ１０）」は、「機器前面上部に備えられた内蔵カメラ開口部３２」を有する点。
＜相違点３＞
　本願発明１の「携帯情報端末」が、「アナログ方式のメータの表示形態を模した画像を前記表示部」に表示させるのに対し、引用発明は、そのような特定がされていない点。
（２）判断
　まず、相違点１について検討する。
ア　引用文献２には、「自動二輪車のモニタホルダ取り付け構造」に関する技術が開示されているところ（摘示（２ａ）【０００１】）、「自動二輪車」に「スピードメータ、タコメータ等のメータ類５」を「設置」し、「ナビゲータ用モニタ８」を「スピードメータ、タコメータ等のメータ類５」に近接して配設すること（摘示（２ａ）【００１７】及び摘示（２ｂ）図２参照）は記載されているものの、「携帯情報端末（ナビゲータ用モニタ８）」を 「前記アナログ方式のメータ（スピードメータ、タコメータ等のメータ類５）に表示される車両情報の少なくとも一部が視認不能となり、前記速度表示部を有するデジタル方式のメータに表示される車両情報の全体が視認可能」とする技術は記載も示唆もされていない。
イ　引用文献３には、「二輪車用電装品取り付け装置」に関する技術が開示されているところ（摘示（３ａ）【００１６】）、「電装品取り付け装置Ｄには、画像表示部を具備する電装品であるナビゲーション６が取り付けられる」こと（摘示（３ａ）【００１７】）は記載されているものの、「携帯情報端末（ナビゲータ用モニタ８）」を 「前記アナログ方式のメータ（スピードメータ、タコメータ等のメータ類５）に表示される車両情報の少なくとも一部が視認不能となり、前記速度表示部を有するデジタル方式のメータに表示される車両情報の全体が視認可能」とする技術は記載も示唆もされていない。
ウ　引用文献４には、「オートバイ用の表示装置」に関する技術が開示されているところ（摘示（４ａ）【００１０】）、「表示内機２は、例えばエンジン回転計からなる指針式（アナログ式）計器２１と、例えば液晶パネルからなり走行速度と走行距離をデジタル表示する電子式表示器２２」との記載（摘示（４ａ）【００１１】）及び図１（摘示（４ｂ））を参照すると、引用文献４には、「情報表示装置（表示内機２）」について、「アナログ方式のメータ（指針式（アナログ式）計器２１）」に隣接し「速度表示部を有するデジタル方式のメータ（デジタル表示する電子式表示器２２）」を備える技術（以下「引用文献４に記載された技術」という）が記載されている。
　引用発明の「メータユニット８０」も、引用文献４に記載された「表示内機２」もいずれも車両の表示装置であることから、引用発明の「メータユニット８０」に引用文献４に記載された技術を採用し、「前記アナログ方式のメータに隣接し速度表示部を有するデジタル方式のメータ」を備えるようにすることは、想定の範囲ということもできるが、「携帯情報端末」を、「前記アナログ方式のメータに表示される車両情報の少なくとも一部が視認不能となり、前記速度表示部を有するデジタル方式のメータに表示される車両情報の全体が視認可能」となるように搭載する点は、引用文献１及び４には記載も示唆もされていない。
　ここで、引用文献１には、
「【００２０】
  図１（Ｂ）に示す本例のポータブルカーナビ１０は、メータクラスタ３０の前に取り付けられるので、図１（Ａ）と比べて、運転者に対して車外の視界を遮るものがなく、その視認性が向上する。しかし、図１（Ｂ）のように、メータクラスタ３０の前にポータブルカーナビ１０を配置すると、必然的に、ポータブルカーナビ１０が、メータクラスタ３０に嵌め込まれて配置されるコンビネーションメータユニット８０（図６で後述）に表示される各種の車両状態情報が運転者から見えなくなる。このことは、単に運転者が困るだけでなく、例えば車速情報のように表示する義務のある情報が表示されない状態は、法的にも許されない。
【００２１】
  そこで、図１（Ｂ）に示すように、ポータブルカーナビ１０をメータクラスタ３０の表示画面を遮って配置する場合には、ポータブルカーナビ１０内に必要な車両状態情報を全て表示することが必要とされる。つまり、通常コンビネーションメータユニット８０の表示部に表示される車両状態情報と同様な情報を、カーナビの地図情報に重畳させて表示することが法的にも要請されることになる。ただ、例えば積算走行距離のように、常時運転者が見る必要がない情報は、従来どおりコンビネーションメータユニット８０に表示させ、ポータブルカーナビ１０を取り外したときに、見ることができるようにすれば、ポータブルカーナビ１０に表示しなくてもよい。」（摘示（１ｃ））
と記載されており、当該記載によれば、引用発明は、むしろ、「車速情報のように表示する義務のある情報」が運転者から見えなくなるように「ポータブルカーナビ１０」が取り付けられ、「ポータブルカーナビ１０」に「車速情報のように表示する義務がある情報」を表示するものであると解されることから、当業者であっても、引用発明において、「携帯情報端末」を、「前記速度表示部を有するデジタル方式のメータに表示される車両情報の全体が視認可能」となるように設置する動機は存在しない。
　また、引用文献２−４にも、「携帯情報端末」を「前記アナログ方式のメータに表示される車両情報の少なくとも一部が視認不能となり、前記速度表示部を有するデジタル方式のメータに表示される車両情報の全体が視認可能」となるように搭載する点は記載も示唆もされていない。
　してみれば、当業者といえども、引用発明及び引用文献１−４に記載された技術的事項から、相違点１に係る本願発明１の、「携帯情報端末」を、「前記アナログ方式のメータに表示される車両情報の少なくとも一部が視認不能となり、前記速度表示部を有するデジタル方式のメータに表示される車両情報の全体が視認可能」となるように搭載するという構成を容易に想到することはできない。
　そして、本願発明１は、少なくとも上記相違点１に係る本願発明１の構成により、「携帯情報端末２２を、設置スペースの少ない車両において容易かつコンパクトに設置することができ、かつメータケース５を視認する視線上に携帯情報端末２２を配置することにより、携帯情報端末２２の良好な視認性を確保できる。」（【００４３】）という格別の効果を奏するものである。
イ　したがって、相違点２及び３について判断するまでもなく、本願発明１は、当業者であっても引用発明、引用文献１−４に記載された技術的事項に基いて容易に発明できたものであるとはいえない。
２−２−２　本願発明２について
　本願発明２は、本願発明１の構成を更に限定して発明を特定するものであって、上記１のとおり、本願発明１が当業者にとって容易に発明することができたものとはいえないのであるから、同様に、本願発明２は、当業者が容易に発明することができたものとはいえない。
第６　むすび
　以上のとおり、原査定の理由及び当審の拒絶理由によっては、本願を拒絶することはできない。
　また、他に本願を拒絶すべき理由を発見しない。
　よって、結論のとおり審決する。